(57)【要約】【課題】ケーブルと導電端子の接続方式を改善したケーブル用コネクタを提供する。【解決手段】ケーブル用コネクタにおいて、内部絶縁本体と、第１類信号を伝送するまたは受け取るために、接触部と接触部から後向きに延出するように形成されるテール部とを有する前記内部絶縁本体に保持される第１導電端子組と、第２類信号を伝送するまたは受け取るために、二対の差動信号端子と一本の接地端子を含み、前記差動信号端子と接地端子は接触部と接触部から後向きに延出するように形成されるテール部とをそれぞれ含み、内部絶縁本体に保持される第２導電端子組と、第１導電端子組のテール部に接続するための内導体を有し、並列で配置される第１ケーブルと、前記二対の差動信号端子に接続するための二対の差動信号ケーブルと、少なくともの一本の接地導体とを含む第２ケーブルとを含み、第２導電端子組の接地端子は、第２ケーブルのあらゆる接地導体に接続でき得る。【選択図】図４
0003147781.tif 000002
【実用新案登録請求の範囲】
【請求項１】
ケーブル用コネクタにおいて、
内部絶縁本体と、
前記絶縁本体と相手コネクタを収容するための収容空間とからなるシールドケースと、
前記内部絶縁本体に保持され、第１類信号を伝送するまたは受け取るのに用いられ、前記収容空間に露出する接触部と、接触部から後向き延出するテール部と、を含む第１導電端子組と、
前記内部絶縁本体に保持され、前記収容空間に露出する接触部と、接触部から後向き延出するテール部と、をそれぞれ設け、第２類信号を伝送するまたは受け取るのに用いられる二対の差動信号端子と、一本の接地端子と、を含む第２導電端子組と、
前記第１導電端子組のテール部に電気的に接続する内導体を有し、並列で配置される第１ケーブルと、
前記二対の差動信号端子に接続するための二対の差動信号ケーブルと、前記接地端子に接続する少なくともの一本の接地導体と、を含む第２ケーブルと、
を含むことを特徴とするケーブル用コネクタ。
【請求項２】
前記第２導電端子組には、前記接地端子が二対の差動信号端子の間に配置されることを特徴とする請求項１に記載のケーブル用コネクタ。
【請求項３】
前記第２ケーブルの接地導体が二本であり、前記各対差動信号ケーブルの間にそれぞれ独立に配置されることを特徴とする請求項１に記載のケーブル用コネクタ。
【請求項４】
前記第２ケーブルの二本の接地導体は、前記第２導電端子組の接地端子に全部に半田付けられることを特徴とする請求項３に記載のケーブル用コネクタ。
【請求項５】
前記各接地導体と一対の差動信号ケーブルが一本の絶縁層で取り囲んで、二本の接地導体が第２導電端子組の接地端子に全部に半田つけられることを特徴とする請求項３に記載のケーブル用コネクタ。
【請求項６】
前記接地端子のテール部は、一対の差動信号端子のテール部の中にそれぞれ位置する両傍部が設けられ、前記接地導体が前記各傍部に半田付けられることを特徴とする請求項３に記載のケーブル用コネクタ。
【請求項７】
前記内部絶縁本体は支持面を有し、前記第１導電端子組及び第２導電端子組の接触部が前記内部絶縁本体の支持面に露出していることを特徴とする請求項１に記載のケーブル用コネクタ。
【請求項８】
前記内部絶縁本体は、対向するように配置される第１舌片及び第２舌片を有し、第１導電端組の接触部が前記第１舌片に保持され、第２導電端子組の接触部が前記第２舌片に保持されることを特徴とする請求項１に記載のケーブル用コネクタ。
【請求項９】
ケーブル用コネクタにおいて、
内部絶縁本体と、
第１類信号を伝送するまたは受け取るために、接触部と、接触部から後向きに延出するように形成されるテール部と、を有する前記内部絶縁本体に保持される第１導電端子組と、
第２類信号を伝送するまたは受け取るために、二対の差動信号端子及び一本の接地端子を含み、前記差動信号端子及び接地端子は接触部と接触部から後向きに延出するように形成されるテール部とをそれぞれ含み、前記内部絶縁本体に保持される第２導電端子組と、
前記第１導電端子組のテール部に接続するための内導体を有し、並列で配置される第１ケーブルと、
前記二対の差動信号端子に接続するための二対の差動信号ケーブルと、少なくともの一本の接地導体とを含む第２ケーブルと、
を含み、
前記第２導電端子組の接地端子は、第２ケーブルのあらゆる接地導体に接続でき得ることを特徴とするケーブル用コネクタ。
【請求項１０】
ケーブル用コネクタにおいて、
収容空間を形成する内部絶縁本体と、
前記内部絶縁本体に並列で保持され、前記収容空間に露出する接触部を有する五本の導電端子と、
前記導電端子にそれぞれ対応するように接続し、一対の信号ケーブル及び１本の接地導体をそれぞれ含む二対の差動信号ケーブルと、
を含み、
前記五本の導電端子は、中間での接地端子と、接地端子の両側にそれぞれ位置する二対の信号端子とを含み、
中間での接地端子には、前記二対の差動信号ケーブル中の接地導体に接続し、半田付けされたテール部が設けられることを特徴とするケーブル用コネクタ。
【請求項１１】
前記二対の差動信号ケーブルには、前記接地端子のテール部に半田付けでき得る接地導体が組合することを特徴とする請求項１０に記載のケーブル用コネクタ。
【考案の詳細な説明】
【技術分野】
【０００１】
本考案は、ケーブル用コネクタに関して、特に、ＵＳＢ規格によるケーブル用コネクタに関するものである。
【背景技術】
【０００２】
コンピュータを内蔵する本体機器の高機能化とともにプリンタや入力装置、ハードディスクドライブ（ＨＤＤ：Ｈａｒｄ  Ｄｉｓｋ  Ｄｒｉｖｅ）などの周辺機器も高機能化が進んでいる。このコンピュータと周辺機器とは、所定の決められた通信規格によって通信ケーブルなどで接続される。高機能化とともにこれまで多くの通信規格が提案され普及しているが、近年はＵＳＢ規格に基づいた周辺機器接続方式が多く利用されている。
【０００３】
インターフェイス規格として、ＵＳＢ１．０と、ＵＳＢ１．１と、ＵＳＢ２．０との規格が順に発表され、そのＵＳＢ１．０規格によるコネクタの伝送速度は１．５Ｍｂｐｓであり、ＵＳＢ１．１規格によるコネクタの伝送速度は１２Ｍｂｐｓであり、ＵＳＢ２．０規格によるコネクタの伝送速度は４８０Ｍｂｐｓであり、ＵＳＢ２．０規格によるコネクタが今、電子業界に一般に普及するように使用される。
【０００４】
電子業の発展に従って、ＵＳＢ２．０規格に拠るコネクタの伝送速度が発展の要求に満足せず、例えば、音楽や映画を伝送する場合には、伝送速度が１Ｇｂｐｓ以上に達し、この時、ＵＳＢ２．０規格のコネクタは、伝送速度の使用要求を満足できないので使用が制限される。今、音楽や映画を伝送する場合に、高速伝送できるＳｅｒｉａｌ−ＡＴＡ規格等のコネクタが常に使用されている。だが、応用の方面において、ＵＳＢ規格のコネクタはＰＣＩ−ＥやＳｅｒｉａｌ−ＡＴＡ規格等のコネクタより広くなっている。例えば、特許文献１に掲示される従来技術は、現在のＵＳＢ規格によるソケットコネクタとケーブル用コネクタの長さを延在するとともにＵＳＢ規格によるコネクタの挿入空間の高さが増加することによって、増加した導電端子を収容する。具体に、該コネクタは普通のＵＳＢ規格によるコネクタに比べて、８本の導電端子を増加し、この８本の導電端子とＵＳＢ規格によるコネクタの４本の導電端子とは、全部または部分にＰＣＩ−ＥやＳｅｒｉａｌ−ＡＴＡ規格等の界面に使用される。
【特許文献１】米国特許第７，０２１，９７１号明細書
【考案の開示】
【考案が解決しようとする課題】
【０００５】
しかしながら、現在のＵＳＢ規格によるコネクタに８本の導電端子を増加し、コネクタの体積が増大したことは避けず、コネクタの小型化の発展に不利になり、また、ＵＳＢ規格のコネクタの体積がより小さいので、電子業界の小型化の発展に有利になっている。そこで、ＵＳＢ規格に拠り、高速伝送できる新型なケーブル用コネクタを開発することが必要であり、非最終的な草稿のＵＳＢ３．０規格によるコネクタが２００７年５月６日で発表され、同時に高速と低速信号を送信するＡタイプ、Ｂタイプ、ＡＢタイプのコネクタソケット、プラグについてのケーブル用コネクタの仕様が発表される。
【０００６】
この非最終的な草稿のＵＳＢ３．０規格書にケーブルと導電端子の接続方式が発表されないので、本考案は、ケーブルと導電端子の接続方式を改善したケーブル用コネクタを提供することを目的とする。
【課題を解決するための手段】
【０００７】
本考案のケーブル用コネクタにおいて、内部絶縁本体と、前記絶縁本体と相手コネクタを収容するための収容空間とからなるシールドケースと、前記内部絶縁本体に保持され、第１類信号を伝送するまたは受け取るのに用いられ、前記収容空間に露出する接触部と、接触部から後向き延出するテール部と、を含む第１導電端子組と、前記内部絶縁本体に保持され、前記収容空間に露出する接触部と接触部から後向き延出するテール部とをそれぞれ設け、第２類信号を伝送するまたは受け取るのに用いられる二対の差動信号端子と、一本の接地端子と、を含む第２導電端子組と、前記第１導電端子組のテール部に電気的に接続する内導体を有し、並列で配置される第１ケーブルと、前記二対の差動信号端子に接続するための二対の差動信号ケーブルと、前記接地端子に接続する少なくともの一本の接地導体と、を含む第２ケーブルと、を含むことを特徴とする。
【０００８】
また、本考案のケーブル用コネクタにおいて、内部絶縁本体と、第１類信号を伝送するまたは受け取るために、接触部と、接触部から後向きに延出するように形成されるテール部とを有する前記内部絶縁本体に保持される第１導電端子組と、第２類信号を伝送するまたは受け取るために、二対の差動信号端子及び一本の接地端子を含み、前記差動信号端子及び接地端子は接触部と接触部から後向きに延出するように形成されるテール部とをそれぞれ含み、前記内部絶縁本体に保持される第２導電端子組と、前記第１導電端子組のテール部に接続するための内導体を有し、並列で配置される第１ケーブルと、前記二対の差動信号端子に接続するための二対の差動信号ケーブルと、少なくともの一本の接地導体とを含む第２ケーブルと、を含み、前記第２導電端子組の接地端子は、第２ケーブルのあらゆる接地導体に接続でき得ることを特徴とする。
【０００９】
また、本考案のケーブル用コネクタにおいて、収容空間を形成する内部絶縁本体と、前記内部絶縁本体に並列で保持され、前記収容空間に露出する接触部を有する五本の導電端子と、前記導電端子にそれぞれ対応するように接続し、一対の信号ケーブル及び１本の接地導体をそれぞれ含む二対の差動信号ケーブルと、を含み、前記五本の導電端子は、中間での接地端子と、接地端子の両側にそれぞれ位置する二対の信号端子と、を含み、中間での接地端子には、前記二対の差動信号ケーブル中の接地導体に接続し半田付けするテール部を設けることを特徴とする。
【考案の効果】
【００１０】
従来技術に比べ、本考案は以下の利点を有し、ケーブルと導電端子の接続方式を提供することで、色々な接続要求が満足できる。
【考案を実施するための最良の形態】
【００１１】
以下、本考案のケーブル用コネクタ１００の好ましい実施形態について、添付図面を参照して説明する。以下、実施状態において、標準規格によるＵＳＢコネクタ、ケーブル用コネクタ、信号は、２００２年１２月に発表されたＵＳＢ２．０標準規格によるＵＳＢコネクタ、ケーブル用コネクタ、信号であり、該ＵＳＢ２．０標準規格を同時に参照する。
【００１２】
図１乃至図６を参照すると、第１実施状態のケーブル用コネクタ１００は、第１導電端子組３と第２導電端子組４を支持する内部絶縁本体２の外部をシールドケース７で覆い、同シールドケース７のケーブル５の側端部外面を外部絶縁モールド６で被覆する。前記ケーブル５は、前記第１導電端子組３及び第２導電端子組４にそれぞれ接続するための第１ケーブル５１と第２ケーブル５２とを含む。前記外部絶縁モールド６がシールドケース７の後端に覆うことにより、ケーブル用コネクタ１００の構造強度が増加され、使用者が外部絶縁モールド６を握り、該ケーブル用コネクタ１００を相手コネクタに挿入した。第１ケーブル５１と第２ケーブル５２と、前記シールドケース７に電気的に接続するシールド層５４とは前記外部絶縁モールド６で被覆されている。
【００１３】
図１乃至図５を参照すると、前記内部絶縁本体２は、基部２１と舌片２２とを一体に成型され、前記基部２１は、前記シールドケース７に係合するための先端２１１と、前記第１導電端子組３、第２導電端子組４、第１ケーブル５１、及び第２ケーブル５２を配置するための後端２１２と、を有する。前記先端２１１の頂壁にはシールドケース７に係合するための係合凹部２１１０が設けられ、四つの第１収容溝２１１１と五つの第２収容溝２１１２とが高さの方向において二列で先端２１１を貫通するように配列され、第１導電端子組３と第２導電端子組４をそれぞれ収容するのに用いられる。
【００１４】
前記後端２１２は、Ｕ字形状を形成し、対向した一対の側壁２１２１と、一対の側壁２１２１を連接するための横板２１２２とを有し、四つの第１通溝２１２３と五つの第２通溝２１２４が前記横板２１２２の上下壁にそれぞれ形成され、且つ、前記第１通溝２１２３が前記第１収容溝２１１１に対応するように連通し、第２通溝２１２４が前記第２収容溝２１１２に対応するように連通している。
【００１５】
前記舌片２２は前記基部２１の先端２１１の頂壁より低い第１支持面２２１と、基部２１の底面と共面に位置する第２支持面２２２とを有する。四つの第３収容溝２２３と五つの第４収容溝２２４が前記第１支持面２２１に凹んで設けられ、前記第３収容溝２２３と第１収容溝２１１１が高さ方向で連通し、第４収容溝２２４と第２収容溝２１１２が前後方向で連通している。前記舌片２２の第２支持面２２２には前記第１収容溝２１１１と第２収容溝２２３に連通するように前後方向に沿って延出する四つの第５収容溝２２５が設けられ、前記第１導電端子組３が第５収容溝２２５に部分に露出している。
【００１６】
前記第１導電端子組３は、四本の第１導電端子３１，３２，３３，３４を有し、各第１導電端子３１，３２，３３，３４はＬ字形状を形成し、前記舌片２２の先端から前記第１収容溝２１１、第３収容溝２２３に対応するようにそれぞれ挿入し、舌片２２の幅方向で並列するように配置される。各第１導電端子３１，３２，３３，３４は、接触部３６と、接触部３６の下部で接触部３６と平行に配置される主体部３５と、接触部３６と主体部３５とを連接する連接部３７とを有し、前記主体部３５の長さが接触部３６より長く、第１ケーブル５１に接続するために前記主体部３５のテール部３５０が前記基部２１の後端２１２の第１通溝２１２３に延出する。
【００１７】
前記第１導電端子３１，３２，３３，３４は、第１収容溝２１１１、第３収容溝２２３に完全に挿入する際に、前記接触部３６が第３収容溝２２３に貼り付けるように配置され、舌片２２の第１支持面２２１と共面で、或いは、第１支持面２２１より略高いように形成する。本実施状態において、第１導電端子３１，３２，３３，３４の接触部３６と主体部３５は平板状を形成するように弾性をしない。第１導電端子３１は電源端子で、第１導電端子３２は陰極の信号端子で、第１導電端子３３は陽極の信号端子で、第１導電端子３４は接地端子である。電源端子としての第１導電端子３１と接地端子としての第１導電端子３４とは、信号端子としての第１導電端子３２、３３より舌片２２の先端に隣接するように配置される。
【００１８】
ＵＳＢ２．０標準規格によるＵＳＢコネクタより附加する五本の第２導電端子組４は、高速信号を伝送または接受するための二対の差動信号端子４１と、二対の差動信号端子４１の間に配置され、差動信号端子４１のノイズを減少するための接地端子４２とを有し、二対の差動信号端子４１と接地端子４２が並列で配置される。各差動信号端子４１は、弾性コンタクト部４３０を有する接触部４３と、接触部４３から後端に延出するための保持部４４と、保持部４４から後向きに延出するためのテール部４５とを含み、各保持部４４には、反する方向にそれぞれ延出する保持片４４０が形成される。
【００１９】
前記第２導電端子組４は、基部２１の後端から内部絶縁本体２に装着され、第２導電端子組４の保持片４４０が第２収容溝２１１２に干渉するように係合し、接触部４３が第４収容溝２２４に部分に収容し、前記接触部４３の弾性コンタクト部４３０が舌片２２の第１支持面２２１に突出するように配置され、第１導電端子組３の接触部３６と第２導電端子組４の接触部４３が前記舌片２２の第１支持面２２１の先端と後端にそれぞれ位置するとともに互いに連接しないように配置される。
【００２０】
テール部４５と第２ケーブル５２が前記基部２１の第２通溝２１２４に挿入し、各第２導電端子のテール部４５の幅が異なり、二対の差動信号端子４１中の最外側のテール部４５の幅が内側のテール部４５より広くなり、接地端子４２のテール部の幅は二対の差動信号端子４１のテール部より広い。二対の差動信号端子４１のテール部４５にはケーブルに接続するためのケーブル接続部４５０が形成し、接地端子４２のテール部４５の両側にはケーブル接続部４５０がそれぞれ形成することで、第２導電端子組４は六つのケーブル接続部４５０を含む。
【００２１】
本考案のケーブル用コネクタ１００の舌片２２のサイズが標準規格によるＵＳＢコネクタプラグの舌片とほぼ同じで、第１導電端子組３の配列方式が標準規格によるＵＳＢコネクタプラグと同じなので、本考案のケーブル用コネクタ１００が標準規格によるＵＳＢコネクタソケットを兼用できる。
【００２２】
図１乃至図５を参照すると、前記シールドケース７は互い係合する第１シェル７１と第２シェル７２とを含み、第１シェル７１は、先端のケース部７１０と、後端でのケース部７１０に連接するＵ字形状を形成する保持部７１２とを含み、保持部７１２は一対の係合部７１２１を設ける側壁７１２０を有し、第２シェル７２には前記第１シェル７１の係合部７１２１に係合するための被係合部７２２０が形成する。前記ケース部７１０の対向する天板と底板には矩形状の一対の窓部がそれぞれ形成し、その天板には、前記内部絶縁本体２の基部２１の係合凹部２１１０に係合するための係合片７１０２が設けられる。
【００２３】
第２シェル７２は、第１シェル７１の保持部７１２に組合する支持部７２２と、後端にケーブルを保持するためのコード接続部７２１とを有する。シールドケース７が内部絶縁本体２の外部を取り囲んである。内部絶縁本体２の舌片２２の第１支持面２２１とシールドケース７の間に収容空間１０１が形成し、前記第１導電端子組３の接触部３６と第２導電端子組４の接触部４３が相手コネクタ（図示せず）の導電端子に接続するために前記収容空間１０１に露出するように配置される。
【００２４】
ケーブル５は、前記内部絶縁本体２の第１通溝２１２３に収容し、第１導電端子組３のテール部３５０に接続するための四本の第１ケーブル５１と、前記内部絶縁本体２の第２通溝２１２４に収容し、第２導電端子組４のテール部４５に接続するための二組の第２ケーブル５２とを含む。第１ケーブル５１の各ケーブルは前記第１導電端子３１，３２，３３，３４のテール部３５０に接続するための内導体５１０と内導体５１０を囲む絶縁層５１２とを有する。毎組の第２ケーブル５２は一対の差動信号ケーブル５２１と、一本の接地導体５２２と、差動信号ケーブル５２１と接地導体５２２を囲む絶縁層５２３とをそれぞれ含む。一対の差動信号ケーブル５２１の各ケーブルの構造が第１ケーブル５１と同じである。第１ケーブル５１の内導体５１０が第１導電端子組３のテール部３５０にそれぞれ半田付けし、第２ケーブル５２の差動信号ケーブル５２１が前記第２導電端子組４の差動信号端子４１のテール部４５のケーブル接続部４５０に半田付けし、二組第２ケーブル５２の二本接地導体５２２は前記第２導電端子組４の接地端子４２の両側のケーブル接続部４５０に半田付けしている。
【００２５】
また、本考案のケーブル用コネクタ１００の製造工程においては、内部絶縁本体２、第１導電端子組３と、第２導電端子組４と、ケーブル５と、シールドケース７の組立後に、これらが射出成形金型中に配置され、前記したシールドケース７のケース部７１０以外の外面に外部絶縁モールド６がアウトサート成形されることになる。
【００２６】
図７乃至図９を参照すると、本考案のケーブル用コネクタの第２実施状態であり、以下、第１実施状態のケーブル用コネクタ１００と異なることを詳細に説明している。第２実施状態において、前記第１導電端組３’が内部絶縁本体２にインサート成形され、接触部３６’が内部絶縁本体２の舌片２２の第１支持面２２１の表面に露出し、テール部３５’が前記基部２１の下表面に露出して、内部絶縁本体２には両側壁２１２１’と、階段状の連接部２１２’とからなる収容溝２１０が形成する。第２導電端子組４が嵌合部材２３の溝２３１に挿入し、第２導電端子組４を装着された嵌合部材２３が前記内部絶縁本体２の収容溝２１０に装着され、第２導電端子組４の接触部４３が内部絶縁本体の第４収容溝２２４に露出する。
【００２７】
他の異なることは第２導電端子組４のテール部４５’の幅が異なり、その接地端子４２のテール部４５’の幅が差動信号端子４１のテール部より広くなり、各差動信号端子４１のテール部の幅が同じで、接地端子４２のテール部４５’は、ｍ字形状を形成し、幅広の平板部４５１’と、平板部４５１’の両側にそれぞれ位置する幅狭の傍部４５２’と、平板部４５１’と一対の傍部４５２’を連接するための連接板４５３’とを有する。前記各傍部４５２’に差動信号端子４１のケーブル接続部４５０’に平行なケーブル接続部として使用され、具体に、差動信号端子４１は保持部４４がテール部の平面より高くなり、前記接地端子４２の傍部４５２’の平面は差動信号端子４１のテール部の平面より低くなっている。図８を参照すると、ケーブル５２’の接地導体５２２’と２本の差動信号ケーブル５２１’が三角形状を形成するように前記ケーブル接続部４５０’と傍部４５２’にそれぞれ半田付けされる。
【００２８】
図１０乃至図１１を参照すると、本考案のケーブル用コネクタの第３実施状態であり、第１実施状態のケーブル用コネクタ１００と異なることは、第２導電端子組の接地端子４２’’のテール部４５’’と第２ケーブル５２の接地導体５２２’’との接続方式であり、具体に、内部絶縁本体２の横板２１２２’’には前記接地端子４２’’のテール部４５’’を支持するための凸部２１２’’が形成し、接地端子４２’’のテール部４５’’には所定の角度を形成するように互いに連通する一対のケーブル接続溝４５０’’が形成し、前記接地導体５２２’’が前記ケーブル接続溝４５０’’に半田付けられる。
【００２９】
前記第１実施状態乃至第３実施状態のケーブル用コネクタ１００は、ＵＳＢ規格によるＡタイプのコネクタであり、図１２乃至図１６を参照すると、本考案のケーブル用コネクタ２００の第４実施状態であり、ＵＳＢ規格によるＢタイプのコネクタである。ケーブル用コネクタ２００は、第１導電端子組９２及び第２導電端子組９３を支持する内部絶縁本体９１と、前記内部絶縁本体９１を取り囲むシールドケース９６と、ケーブル９０と、を含み、該ケーブル９０は前記第１導電端子組９２に接続するための第１ケーブル９４と第２導電端子組９３に接続するための第２ケーブル９５と、第１ケーブル９４と第２ケーブル９５とを囲む絶縁層９０１と、前記シールドケース９６に接続するシールド層９０２とを含む。内部絶縁本体９１、第１導電端子組９２と、第２導電端子組９３と、ケーブル９０と、シールドケース９６の組立後に、これらが射出成形金型中に配置され、前記したシールドケース９６の外面に外部絶縁モールド９８がアウトサート成形されることになる。
【００３０】
図１３を参照すると、内部絶縁本体９１は、先端の舌片９１０と、中央の基部９１２と、基部９１２から後向き延出する平板状の配線部９１４とを設け、舌片９１０は、上下方向で対向するように平行に配置される上方の第１舌片９１１と下方の第２舌片９１３を含み、第１舌片９１１と第２舌片９１３との間に相手コネクタを収容するための収容空間９１６が形成し、第１舌片９１１の幅が第２舌片９１３の幅より狭い。前記第１舌片９１１の底壁には第１導電端子組９２に対応するための第１通溝（図示せず）が形成し、第２舌片９１３の上壁には第２導電端子組９３に対応するための五つの第２通溝９１５が形成される。
【００３１】
前記基部９１２には、前記第１通溝に連通する四つの第１収容溝（図示せず）と第２通溝９１５に連通する第２収容溝（図示せず）とが設けられる。該基部９１２の後端部の上下壁には、それぞれ第１接触配置部９１７と第２接触配置部９１８として、前記第１接触部９１７には複数の平行な凸状リブ９１７０により四つの第１接触溝９１７２が形成し、前記第２接触部９１８には、複数の平行な凸状リブ９１８０により五つの第２接触溝９１８２が形成している。
【００３２】
第１導電端子組９２は、電源端子と、陰極の信号端子、陽極の信号端子、スイッチ端子の四本であり、先端から後端までに内部絶縁本体１９に装着され、第１導電端子組９１は、第１舌片９１１の第１通溝に収容するとともに収容空間９１６に露出する接触部９２１と、基部９１２の第１収容溝に係合するために接触部９２１から後向きに延出する保持部９２２と、前記第１接続溝９１７２に保持される肉薄部９２３と、前記配線部９１４により支持するための第１ケーブル接続溝としてのテール部９２４とを有する。
【００３３】
本実施状態において、第１導電端子組９２に接続するための第１ケーブル９４は三本があり、各本のケーブル９４は内導体９４０と内導体９４０を囲む絶縁層９４２とを含み、配線部９１４で三本の内導体９４０が第１導電端子組９２のテール部９２４に半田付けられ、その第１導電端子組９２のスイッチ端子が第１ケーブル９４の内導体９４０に半田付けない。
【００３４】
ＵＳＢ２．０標準規格によるＵＳＢコネクタより附加する五本の第２導電端子組９３は、二対の差動信号端子９３１と、差動信号端子９３１のノイズを減少するために二対の差動信号端子９３１の間に配置される接地端子９３２とを有し、二対の差動信号端子９３１と接地端子９３２が並列で配置され、差動信号端子９３１は、高速信号を伝送または接受するものに用いられる。第２導電端子組９３は、第２通溝９１５に収容するとともに前記収容空間９１６に露出する平板状の接触部９３３と、基部９１２の第２収容溝に保持される保持部９３４と、前記配線部９１４に支持されるテール部９３６と、前記保持部９３４とテール部９３６を連接する肉薄部９３５とを有し、差動信号端子９３１の肉薄部９３５がＬ字形状を形成し、接地端子９３２の肉薄部９３５が直線形状を形成する。各差動信号端子９３１のテール部９３６が一つの第２ケーブル接続部として使用され、接地端子９３２のテール部９３６が三つの第２ケーブル接続部として使用される。
【００３５】
第２ケーブル９５は、一対の差動信号ケーブル９５１と、一対の差動信号ケーブル９５１の間に位置する一本の接地導体９５２とを含み、各差動信号ケーブル９５１は二本の信号導体９５３と、信号導体９５３に接続する接地導体９５４と、前記信号導体９５３と接地導体９５４を囲う絶縁層９５５と、をそれぞれ含む。信号導体９５３が差動信号端子９３１のテール部９３６に半田付けられ、前記差動信号ケーブル９５１の接地導体９５４と、前記接地導体９５２とが前記接地端子９３２のテール部９３６にそれぞれ半田付けられる。
【００３６】
シールドケース９６は、互いに係合することにより前記内部絶縁本体９１、第１導電端子組９２と第２導電端子組９３と、ケーブル９０を取り囲む第１シェル９６１と、第２シェル９６２とを有し、第１シェル９６１の先端に前記第１舌片９１１、第２舌片９２２を囲んで収容空間９１６を形成するためのケース部９６１０が形成される。
【００３７】
前記あらゆる実施状態においてのケーブル用コネクタは、第１導電端子組が第１類信号を伝送するまたは受け取るのに用いられ、第２導電端子組が第２類信号を伝送するまたは受け取るのに用いられる。
【００３８】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【図面の簡単な説明】
【００３９】
【図１】本考案に係るケーブル用コネクタの第１実施状態の分解斜視図である。
【図２】図１に示すケーブル用コネクタの他の角度から見た分解斜視図である。
【図３】図１に示すケーブル用コネクタの部分の組立斜視図である。
【図４】図３に示すケーブル用コネクタの他の角度から見た部分に分解斜視図である。
【図５】図２に示すケーブル用コネクタの部分の組立斜視図である。
【図６】本考案に係るケーブル用コネクタの第１実施状態の組立斜視図である。
【図７】本考案に係るケーブル用コネクタの第２実施状態の分解斜視図である。
【図８】本考案に係るケーブル用コネクタの第２実施状態の部分に分解斜視図である。
【図９】本考案に係るケーブル用コネクタの第２実施状態の組立斜視図である。
【図１０】本考案に係るケーブル用コネクタの第３実施状態の分解斜視図である。
【図１１】本考案に係るケーブル用コネクタの第３実施状態の組立斜視図である。
【図１２】本考案に係るケーブル用コネクタの第４実施状態の組立斜視図である。
【図１３】本考案に係るケーブル用コネクタの第４実施状態の分解斜視図である。
【図１４】図１３に示すケーブル用コネクタの他の角度から見た部分に分解斜視図である。
【図１５】図１３に示すケーブル用コネクタの他の角度から見た部分の組立斜視図である。
【図１６】図１４に示すケーブル用コネクタの他の角度から見た部分の組立斜視図である。
【符号の説明】
【００４０】
１００、２００  ケーブル用コネクタ
１０１、９１６  収容空間
２、９１  内部絶縁本体
２１、９１２  基部
２１０  収容溝
２１１  先端
２１２  後端
２１２’  連接部
２１１０  係合凹部
２１１１  第１収容溝
２１１２  第２収容溝
２１２１  側壁
２１２２、２１２２’  横板
２１２３  第１通溝
２１２４  第２通溝
２２、９１０  舌片
２２１  第１支持面
２２２  第２支持面
２２３  第３収容溝
２２４  第４収容溝
２２５  第５収容溝
２３  嵌合部材
２３１  溝
３、３’、９２  第１導電端子組
３１，３２，３３，３４  第１導電端子
３５、３５’  主体部
３６、３６’、９２１  接触部
３５０、３５０’、９２４、テール部
４、９３  第２導電端子組
４１、９３１  差動信号端子
４２、４２’、４２’’、９３２  接地端子
４３、９３３  接触部
４４、９３４  保持部
４５、４５’、４５’’  、９３６テール部
４３０  弾性コンタクト部
４５０、４５０’、４５０’’  ケーブル接続部
５、９０  ケーブル
５１、９４  第１ケーブル
５１０、９４０  内導体
５１２，９４２  絶縁層
５２、９５  第２ケーブル
５２１、５２１’、９５１  差動信号ケーブル
５２２、５２２’、５２２’’  、９５２接地導体
５３、９５５  絶縁層
５４  シールド層
６  外部モールド
７、９６  シールドケース
７１、９６１  第１シェル
７１０、９６１０  ケース部
７１２  保持部
７１２０  側壁
７１２１  係合部
７１０２  係合片
７２、９６２  第２シェル
７２２  支持部
７２１  コード接続部
９１４  配線部
９１７  第１接触部
９１８  第２接触部
９１７０、９１８０  凸状リブ
９１７２  第１接続溝
９１８２  第２接続溝
９２３、９３５  肉薄部
９５３  信号導体
【図１】
0003147781.tif 000003
【図２】
0003147781.tif 000004
【図３】
0003147781.tif 000005
【図４】
0003147781.tif 000006
【図５】
0003147781.tif 000007
【図６】
0003147781.tif 000008
【図７】
0003147781.tif 000009
【図８】
0003147781.tif 000010
【図９】
0003147781.tif 000011
【図１０】
0003147781.tif 000012
【図１１】
0003147781.tif 000013
【図１２】
0003147781.tif 000014
【図１３】
0003147781.tif 000015
【図１４】
0003147781.tif 000016
【図１５】
0003147781.tif 000017
【図１６】
0003147781.tif 000018